(57)【要約】【課題】大規模災害時等の通信需要の増大時においても、衛星通信システムを有効に活用して所望の通信対象とデータを送受することができるようにする。【解決手段】それぞれ制御地球局の制御により通信衛星を介して衛星通信地球局間でデータを送受する第１及び第２の衛星通信システムの制御方法において、前記第１の衛星通信システムに属する衛星通信地球局は、保持した無線リソーステーブル、衛星ルーチングテーブルの記録により第１の衛星通信システムに属する衛星通信地球局との間で通信衛星を介して回線接続を行い、前記第２の衛星通信システムの制御地球局から、無線リソーステーブルを更新するのに必要な情報、衛星ルーチングテーブルを更新するのに必要な情報を取得して無線リソーステーブル、衛星ルーチングテーブルを更新することにより（Ｓ２０７）、回線接続対象を第２の衛星通信システムの衛星通信地球局に切替える【選択図】図６
2014175935.tif 000002
【特許請求の範囲】
【請求項１】
それぞれ制御地球局の制御により通信衛星を介して衛星通信地球局間でデータを送受する第１及び第２の衛星通信システムの制御方法において、
前記第１の衛星通信システムに属する衛星通信地球局は、
保持した無線リソーステーブル、衛星ルーチングテーブルの記録により第１の衛星通信システムに属する衛星通信地球局との間で通信衛星を介して回線接続を行い、
前記第２の衛星通信システムの制御地球局から、無線リソーステーブルを更新するのに必要な情報、衛星ルーチングテーブルを更新するのに必要な情報を取得して無線リソーステーブル、衛星ルーチングテーブルを更新することにより、回線接続対象を第２の衛星通信システムの衛星通信地球局に切替える
衛星通信システムの制御方法。
【請求項２】
無線リソーステーブルを更新するのに必要な情報が、
少なくとも第２の衛星通信システムの通信衛星に係るビーコン情報、衛星制御回線情報である
請求項１に記載の衛星通信システムの制御方法。
【請求項３】
衛星ルーチングテーブルを更新するのに必要な情報が、
少なくともＩＰアドレスを使用して、第２の衛星通信システムに係る衛星回線に接続するための通信衛星アドレス、発信着信に供する衛星通信地球局のアドレス、発信着信に供する端末アドレスである
請求項１又は請求項２に記載の衛星通信システムの制御方法。
【発明の詳細な説明】
【技術分野】
【０００１】
本発明は、衛星通信システムの制御方法に関し、ＶＳＡＴ（Ｖｅｒｙ  Ｓｍａｌｌ  Ａｐｅｒｔｕｒｅ  Ｔｅｒｍｉｎａｌ）システム等の、通信衛星を介する双方向通信システムに関し、特定の衛星通信システムに属するＶＳＡＴ地球局が必要に応じて他の衛星通信システムに属するＶＳＡＴ地球局との間で衛星通信回線を確立するものである。
に関する。
【背景技術】
【０００２】
従来、通信衛星を利用した双方向通信システムが、複数、運用されている。このような双方向通信システムであるＶＳＡＴシステムでは、ＶＳＡＴ制御地球局（親局であり、以下、ＨＵＢ局と呼ぶ）の制御により、各地に設置されたＶＳＡＴ地球局（子局であり、衛星通信地球局である）が通信衛星を介して接続される。またＶＳＡＴ地球局には例えば公衆電気通信回線網が接続される。これにより公衆電気通信回線網に接続された種々の情報通信装置は、通信衛星を介して接続されたＶＳＡＴ地球局を介して種々の通信対象とデータを送受することができる。
【０００３】
このような通信システムに関して、特許文献１には、ＶＳＡＴの上位ノードとしてルーチング管理サーバを設けて全端末に対するＶＳＡＴネットワーク内のルーチング情報を管理し、必要に応じてこのルーチング管理サーバからルーチング情報をＶＳＡＴ地球局で取得して更新することにより、ルーチング情報を高信頼かつ効率良く管理する方法が開示されている。
【先行技術文献】
【特許文献】
【０００４】
【特許文献１】特開平６−０５３８７８号公報
【発明の概要】
【発明が解決しようとする課題】
【０００５】
ところでＶＳＡＴ地球局は可搬型のものもあり、多数の可搬型のＶＳＡＴ地球局を備えたＶＳＡＴシステムでは、大規模災害時等の非常時、特定のイベント開催時等には、平常時に比して通信需要が増大し、通信衛星の使用率が著しく増加する傾向がある。これによりこの種の衛星通信システムでは、このような通信需要の増大時、当該衛星通信システムが利用する衛星帯域内で輻輳が発生する恐れがある。
【０００６】
ここで衛星帯域内で輻輳が発生すると、この輻輳の発生した第１の衛星通信システムでは、ＶＳＡＴ地球局からＨＵＢ局への通信要求に対して、ＨＵＢ局では衛星回線を割り当てることが困難になる。その結果、当該ＶＳＡＴ地球局では、通信衛星を介してデータ通信することが困難になり、所望する通信対象とデータ通信することが困難になる問題がある。なおこのような状況は、この第１の衛星通信システムとは異なる第２の衛星通信システムにおいて、衛星通信帯域内では輻輳が生じておらず、かつ十分に帯域に余裕を有する場合であっても発生する。
【０００７】
本発明は以上の点を考慮してなされたものであり、大規模災害時等の通信需要の増大時（トラヒック増大時）においても、衛星通信システムを有効に活用して所望の通信対象とデータを送受できるようにすることを目的とするものである。
【課題を解決するための手段】
【０００８】
（１）  それぞれ制御地球局の制御により通信衛星を介して衛星通信地球局間でデータを送受する第１及び第２の衛星通信システムの制御方法において、
前記第１の衛星通信システムに属する衛星通信地球局は、
保持した無線リソーステーブル、衛星ルーチングテーブルの記録により第１の衛星通信システムに属する衛星通信地球局との間で通信衛星を介して回線接続を行い、
前記第２の衛星通信システムの制御地球局から、無線リソーステーブルを更新するのに必要な情報、衛星ルーチングテーブルを更新するのに必要な情報を取得して無線リソーステーブル、衛星ルーチングテーブルを更新することにより、回線接続対象を第２の衛星通信システムの衛星通信地球局に切替える。
【０００９】
（１）によれば、他の衛星通信システムの制御地球局から、無線リソーステーブルを更新するのに必要な情報、衛星ルーチングテーブルを更新するのに必要な情報を取得して無線リソーステーブル、衛星ルーチングテーブルを更新することにより、衛星帯域の輻輳、制御地球局の障害等により回線を割り当てることが困難な場合でも、単に無線リソーステーブルを更新するのに必要な情報、衛星ルーチングテーブルを更新するのに必要な情報を取得してテーブルを更新するだけの簡易な処理により、他の衛星通信システムの構成を有効に利用してデータを送受することができる。これにより大規模災害時等のトラヒック増加時においても、衛星帯域内で輻輳が発生している場合であっても、衛星通信システムを有効に活用して所望の通信対象とデータを送受することができる。
【００１０】
（２）  （１）において、
無線リソーステーブルを更新するのに必要な情報が、
少なくとも第２の衛星通信システムの通信衛星に係るビーコン情報、衛星制御回線情報である。
【００１１】
（２）によれば、より具体的構成により、大規模災害時等のトラヒック増加時においても、衛星帯域内で輻輳が発生している場合であっても、衛星通信システムを有効に活用して所望の通信対象とデータを送受することができる。
【００１２】
（３）  （１）又は（２）において、
衛星ルーチングテーブルを更新するのに必要な情報が、
少なくともＩＰアドレスを使用して、第２の衛星通信システムに係る衛星回線に接続するための通信衛星アドレス、発信着信に供する衛星通信地球局のアドレス、発信着信に供する端末アドレスである
【００１３】
（３）によれば、より具体的構成により、大規模災害時等のトラヒック増加時においても、衛星帯域内で輻輳が発生している場合であっても、衛星通信システムを有効に活用して所望の通信対象とデータを送受することができる。
【発明の効果】
【００１４】
本発明によれば、大規模災害時等の通信需要の増大時においても、衛星通信システムを有効に活用して所望の通信対象とデータを送受することができる。
【図面の簡単な説明】
【００１５】
【図１】本発明の第１実施形態に係るＶＳＡＴシステムを示す図である。
【図２】図１のＶＳＡＴシステムにおけるＶＳＡＴ間のルーチング例を示す図である。
【図３】図２の接続シーケンス例を示す図である。
【図４】衛星ルーチングテーブルを示す図である。
【図５】無線リソーステーブルを示す図である。
【図６】接続シーケンスに用いる信号を示す図である。
【図７】異なる衛星システムに属するＶＳＡＴ間のルーチング例を示す図である。
【図８】ルーチングテーブルの更新を示す図である。
【図９】ルーチングテーブルの更新に用いる信号を示す図である。
【図１０】図７の接続シーケンス例を示す図である。
【図１１】異なる衛星システムに属するＶＳＡＴ間のルーチングの他の例を示す図である。
【発明を実施するための形態】
【００１６】
以下、本発明の実施形態について図面を参照しながら説明する。
【００１７】
〔第１実施形態〕
図１は、本発明の第１実施形態に係るＶＳＡＴシステムを示す図である。この図１においてＶＳＡＴシステム１は、通信衛星４００を利用した双方向通信システムである。このＶＳＡＴシステム１には、ＶＳＡＴ地球局１００、２００、…が設けられ、ＨＵＢ局６００による制御により通信衛星４００を介してこれらＶＳＡＴ地球局１００、２００、…間でデータの送受が実行される。またＶＳＡＴシステム２は、通信衛星５００を利用した双方向通信システムであり、ＨＵＢ局７００による制御により通信衛星５００を介してＶＳＡＴ地球局３００、…間でデータの送受が実行される。なお以下において、図面上、ＶＳＡＴ地球局１００、２００、３００をそれぞれ適宜ＶＳＡＴＬ１、ＶＳＡＴＬ２、ＶＳＡＴＥと表記する。また同様に、ＨＵＢ局６００、７００をそれぞれＨＵＢＬ、ＨＵＢＥと表記し、通信衛星４００、５００をＳＡＴＬ、ＳＡＴＥと表記する。またＶＳＡＴシステム１及び２をそれぞれシステムＬ及びシステムＥと表記する。
【００１８】
この実施形態において、ＶＳＡＴシステム１、２は、ＶＳＡＴシステム１のＶＳＡＴ地球局１００、２００が、当該ＶＳＡＴシステム１とは異なる他のＶＳＡＴシステムであるＶＳＡＴシステム２のＶＳＡＴ地球局３００との間で、この他のＶＳＡＴシステム２に係る通信衛星５００を介して回線を接続できるように構成される。これによりこの実施形態では、ＶＳＡＴシステム１に係る通信衛星４００の衛星帯域で輻輳が発生してＶＳＡＴ地球局１００、２００に回線割り当てが困難な場合でも、さらにはＨＵＢ局６００の障害等によりＶＳＡＴ地球局１００、２００に回線を割り当てることが困難な場合でも、他のＶＳＡＴシステム２の衛星回線を利用して対応する情報端末との間で回線を接続できるように構成される。これによりこの実施形態では大規模災害時等の非常時において、衛星帯域内で輻輳が発生している場合であっても、衛星通信システムを有効に活用して所望の通信対象とデータを送受することができる。
【００１９】
ここでＶＳＡＴ地球局１００、２００、３００は、それぞれ通信衛星４００、５００との無線通信に供するアンテナ１０１、２０１、３０１、各アンテナ１０１、２０１、３０１の姿勢等の制御に係るアンテナ制御部１０２、２０２、３０２、アンテナ１０１、２０１、３０１を使用した無線通信に使用するＩＰ信号の変復調、符号化、復号化を行うＩＰ通信用モデム１０３、２０３、３０３、地上回線のプロトコルと衛星回線のプロトコルとの変換やルーチング情報の変換を行うデータ伝送アダプタ１０４、２０４、３０４、ＨＵＢ局６００、７００から回線制御情報を授受し、データ伝送アダプタ１０４、２０４、３０４、ＩＰ通信用モデム１０３、２０３、３０３、アンテナ制御部１０２、２０２、３０２を制御して回線設定制御を行う回線制御部１０５、２０５、３０５、端末として使用されるパーソナルコンピュータ（ＰＣ）１０７、１０８、２０７、２０８、３０７、３０８、ＶｏＩＰ電話機（ＴＥＬ）１０９、１１０、２０９、２１０、３０９、３１０、ＶｏＩＰ電話機のゲートウエイ（ＶｏＩＰＧＷ）１０６、２０６、３０６等から構成される。なお、以下の説明では回線制御部１０５、２０５、３０５の機能は、適宜、データ伝送アダプタ１０４、２０４、３０４に含めて説明する。
【００２０】
ＨＵＢ局６００、７００は、衛星ネットワーク制御センタとしての役割を担う。ＨＵＢ局６００、７００は、通信衛星４００、５００との無線通信波の送受に係るアンテナ６０１、７０１、このアンテナ６０１、７０１を介して衛星制御回線で送受信される無線通信波を監視制御するＲＦ信号監視制御部６０２、７０２、衛星制御回線で送受される無線通信波に係る変復調、符号化、復号化の処理を実行する衛星制御回線モデム６０３、７０３、衛星制御回線によるＶＳＡＴ地球局１００、２００、３００との情報伝送により、通信衛星４００、５００を介したＶＳＡＴ地球局１００、２００、３００間の衛星回線の設定制御を行うＤＡＭＡ（Ｄｅｍａｎｄ  Ａｓｓｉｇｎｍｅｎｔ  Ｍｕｌｔｉｐｌｅ  Ａｃｃｅｓｓ）６０４、７０４等から構成される。
【００２１】
図２は、ＶＳＡＴシステム１におけるルーチングを示す図である。この図２の例は、ＶＳＡＴ地球局１００からＶＳＡＴ地球局２００に接続する場合であり、ＶＳＡＴ地球局１００に収容されたＶｏＩＰ電話機１０９がＶＳＡＴ地球局２００に収容されたＶｏＩＰ電話機２１０に発信した場合の例により説明する。
【００２２】
この場合、ＶｏＩＰ電話機１０９からの発信信号が、ＶｏＩＰ電話機のゲートウエイ１０６でイーサネット（登録商標）加入者インタフェースのＩＰアドレスに変換されて送出される（ＰＯＲＴＬ１１）。このＩＰアドレスはデータ伝送アダプタ１０４で衛星ルーチングテーブルを参照して衛星ルーチングアドレスに変換される。ここで衛星ルーチングテーブルは、当該ＶＳＡＴシステム１で回線接続処理を実行するのに必要な情報を記録したテーブルであり（図４参照）、衛星ルーチングアドレスを構成する各ＩＰアドレスを検出可能に記録したテーブルである。
【００２３】
衛星ルーチングアドレスは、ルーチングの処理に必要な、各ＩＰアドレスを記録したアドレスであり、発信に係る情報端末から着信に係る情報端末までのデータ伝送経路を特定可能なアドレス群により構成される。より具体的に、衛星ルーチングアドレスは、通信衛星アドレス、発着信ＶＳＡＴアドレス、端末アドレスを少なく備え、また必要に応じてＨＵＢ局のアドレスが含まれる。ここで通信衛星アドレスは、通信衛星を特定するアドレス（番号）であり、発着信ＶＳＡＴアドレスは、発着信に係るＶＳＡＴ地球局のアドレス（番号）である。端末アドレスは、発着信に係る端末のアドレス（番号）である。
【００２４】
この図２の例では、ＶＳＡＴ地球局１００に収容されたＶｏＩＰ電話機１０９がＶＳＡＴ地球局２００に収容されたＶｏＩＰ電話機２１０に発信する場合であることにより、衛星ルーチングテーブルを使用したデータ伝送アダプタ１０４の処理により、ＩＰアドレスは、通信衛星４００のアドレス（ＳＡＴＬ番号）＋ＨＵＢ局６００のアドレス（ＨＵＢＬ番号）＋発信に係るＶＳＡＴ地球局１００のアドレス（ＶＳＡＴＬ１番号）＋着信に係るＶＳＡＴ地球局２００のアドレス（ＶＳＡＴＬ２番号）＋発信に係るＶｏＩＰ電話機１０９のアドレス（ＴＥＬ１０９番号）＋着信に係るＶｏＩＰ電話機２１０のアドレス（ＴＥＬ２１０番号）とによる衛星ルーチングアドレスに変換される。この衛星ルーチングアドレスは、ＩＰ通信用モデム１０３、アンテナ１０１、通信衛星４００を介して衛星制御回線８０１、８０２によりＨＵＢ局６００に回線設定要求信号として送信される。
【００２５】
この回線設定要求信号の受信によりＨＵＢ局６００は、この回線設定要求信号に含まれる衛星ルーチングアドレスを受信し、衛星制御回線８０１、８０２を用いてＶＳＡＴ地球局１００に回線９０１の設定信号を送信すると共に、衛星制御回線８０２、８０３を用いてＶＳＡＴ地球局２００にＶＳＡＴ地球局１００への指定に対応する回線９０２の設定信号を送信する。
【００２６】
この設定信号の受信により、ＶＳＡＴ地球局１００及び２００において、回線９０１、９０２による回線接続が行われ、通信衛星４００のアドレス（ＳＡＴＬ番号）＋発信に係るＶＳＡＴ地球局１００のアドレス（ＶＳＡＴＬ１番号）＋着信に係るＶＳＡＴ地球局２００のアドレス（ＶＳＡＴＬ２番号）＋発信に係るＶｏＩＰ電話機１０９のアドレス（ＴＥＬ１０９番号）＋着信に係るＶｏＩＰ電話機２１０のアドレス（ＴＥＬ２１０番号）を少なくとも備えた衛星ルーチングアドレスを含む発信情報が回線９０１、９０２を介してＶＳＡＴ地球局１００から送信される。
【００２７】
ＶＳＡＴ地球局２００では、この発信情報がアンテナ２０１、ＩＰ通信用モデム２０３を順次介して、データ伝送アダプタ２０４に入力され、ここでこの発信情報に含まれる衛星ルーチングアドレスがＩＰアドレスに変換されてＶｏＩＰ電話機のゲートウエイ２０６に入力され、ＶｏＩＰ電話機２１０に着信信号が送出される。この着信に応答してＶｏＩＰ電話機２１０が応答すると、ＶｏＩＰ電話機１０９とＶｏＩＰ電話機２１０との通信が、回線９０１、９０２を介して開始される。
【００２８】
図３は、図２のルーチングに係る接続シーケンスを示す図である。Ｓ１０１においてＶｏＩＰ電話機１０９がＶｏＩＰ電話機２１０に向けて発信し、これによりＳ１０２においてＶｏＩＰ電話機２１０の番号を含むＩＰアドレスによる発信信号（１）をデータ伝送アダプタ１０４に送信する。Ｓ１０３においてこの発信信号（１）をデータ伝送アダプタ１０４が受信し、続くＳ１０４において衛星ルーチングテーブルを参照してＩＰアドレスを衛星ルーチングアドレスに変換し、この衛星ルーチングアドレスがＳ１０５で発信信号（２）によりＩＰ通信用モデム１０３に送出される。
【００２９】
ここで図４は、衛星ルーチングテーブルの１例を示す図である。この図４（Ａ）は、ＶＳＡＴシステム１の例であり、ＶＳＡＴシステム１（システム１）について、対応する通信衛星を特定するアドレス（ＳＡＴ番号）ＳＡＴＬが記録され、この通信衛星に収容されたＶＳＡＴ地球局の番号（ＶＳＡＴ番号）にＶＳＡＴ地球局１００及び２００を特定するアドレスＶＳＡＴＬ１、ＶＳＡＴＬ２が記録される。またＶＳＡＴ地球局１００の収容端末番号に、ＶｏＩＰ電話機１０９、１１０のアドレスＴＥＬ１０９、ＴＥＬ１１０、パーソナルコンピュータ１０７、１０８のアドレスＰＣ１０７、ＰＣ１０８が記録され、ＶＳＡＴ地球局２００の収容端末番号に、ＶｏＩＰ電話機２０９、２１０のアドレスＴＥＬ２０９、ＴＥＬ２１０、パーソナルコンピュータ２０７、２０８のアドレスＰＣ２０７、ＰＣ２０８が記録されている。
【００３０】
また図４（Ｂ）に示すように、ＶＳＡＴシステム２の場合、ＶＳＡＴシステム２に係る通信衛星を特定するアドレス（ＳＡＴ番号）ＳＡＴＥが記録され、この通信衛星に収容されたＶＳＡＴ地球局のアドレス（ＶＳＡＴ番号）にＶＳＡＴ地球局３００を特定するアドレスＶＳＡＴＥが記録される。またＶＳＡＴ地球局３００の収容端末番号に、ＶｏＩＰ電話機３０９、３１０のアドレスＴＥＬ３０９、ＴＥＬ３１０、パーソナルコンピュータ３０７、３０８のアドレスＰＣ３０７、ＰＣ３０８が記録されることになる。
【００３１】
図３の例では、ＶＳＡＴ地球局１００に収容されたＶｏＩＰ電話機１０９がＶＳＡＴ地球局２００に収容されたＶｏＩＰ電話機２１０に発信する場合であることにより、この衛星ルーチングテーブルより着信に係るＶｏＩＰ電話機２１０の番号ＴＥＬ２１０が検出され、この番号ＴＥＬ２１０に係るＶＳＡＴアドレスＶＳＡＴＬ２、通信衛星アドレスＳＡＴＬが検出されて衛星ルーチングアドレスが生成され、この衛星ルーチングアドレスが発信信号（２）によりＩＰ通信用モデム１０３に送出される。
【００３２】
ＩＰ通信用モデム１０３では、Ｓ１０６において、この発信信号（２）が受信される。ＩＰ通信用モデム１０３では、この発信信号（２）に含まれる衛星ルーチングアドレスによる通信衛星４００の番号より無線リソーステーブルを検索する。ここで無線リソーステーブルは、対応する通信衛星に係る衛星制御回線を利用可能な情報を記録したテーブルである。具体的に。ＶＳＡＴシステム１及び２の例をそれぞれ図５（Ａ）及び図５（Ｂ）に示すように、それぞれ利用可能な通信衛星４００、５００について、そのビーコン周波数を特定するビーコン周波数番号ＦＢＬ、ＦＢＥと、対応する衛星制御回線８０１、８１１（図７参照）の周波数を特定する衛星制御回線周波数番号ＦＣＬ、ＦＣＥが記録されている。
【００３３】
ＩＰ通信用モデム１０３は、この無線リソーステーブルの検索により、通信衛星４００に係るビーコン周波数、通信衛星４００との間の衛星制御回線の周波数を検出する。ＩＰ通信用モデム１０３は、アンテナ制御部１０２の制御によりこの検出したビーコン周波数による無線通信波をアンテナ１０１で受信して衛星追尾の処理を実行し、ビーコン受信レベルが最大になった方向にアンテナ１０１を定位させる。なおこのアンテナ追尾の処理においては、必要に応じて通信衛星４００についての方位、仰角等の情報を参照して実行される。
【００３４】
このようにしてビーコン受信レベルが最大になると、ＩＰ通信用モデム１０３は、無線リソーステーブルの検索により検出された衛星制御回線周波数により、回線設定要求を通信衛星４００に送出し。この回線設定要求信号をＨＵＢ局６００に送出する。
【００３５】
ＨＵＢ局６００においては、この回線設定要求信号がＳ１０７で受信され、この回線設定要求信号の分析により、この回線設定要求信号に含まれる衛星ルーチングアドレスから着信に係るＶＳＡＴ地球局２００が検出される。またこの検出結果に基づいて、ＶＳＡＴ地球局１００及び２００間のデータの送受に供する衛星回線９０１、９０２が選択される。
【００３６】
ＨＵＢ局６００においては、続くＳ１０８において、ＶＳＡＴ地球局１００及び２００に回線設定信号を送信し、この回線設定信号によりＳ１０７で選択した衛星回線の周波数を衛星制御回線８０１、８０２、８０３を用いて通知する。この通知によりＶＳＡＴ地球局１００ではＳ１０９において、この回線設定信号が受信され、受信した回線の周波数により無線通信波を送受するように、アンテナ制御部１０２により設定される。続いてＳ１１０において、ＶＳＡＴ地球局１００は、設定した回線により発信信号（２）を送信する。
【００３７】
ＶＳＡＴ地球局２００では、ＨＵＢ局６００から送信された回線設定信号をＳ１１１で受信し、続くＳ１１２において、受信した回線の周波数により無線通信波を送受するように、アンテナ制御部２０２により設定される。続いてＳ１１３において、設定した回線によりＶＳＡＴ地球局１００から送出された発信信号（２）を受信する。この発信信号（２）の受信により、ＩＰ通信用モデム２０３は、Ｓ１１４でデータ伝送アダプタ２０４に起動信号を送信する。
【００３８】
Ｓ１１５において、データ伝送アダプタ２０４はこの起動信号を受信し、この起動信号により通知される衛星ルーチングアドレスからＩＰアドレスを生成し、ＶｏＩＰ電話機２１０に着信信号を送信する。ＶｏＩＰ電話機２１０は、Ｓ１１６でこの着信信号を受信した後、Ｓ１１７で着信応答信号をデータ伝送アダプタ２０４に送信する。データ伝送アダプタ２０４はＳ１１８で着信応答信号を受信し、ＩＰ通信用モデム２０３に着信応答信号を送出し、ＩＰ通信用モデム２０３は、Ｓ１１９で着信応答信号を受信し、回線９０２を用いでＶＳＡＴ地球局１００のＩＰ通信用モデム１０３に着信応答信号を送信する。ＶＳＡＴ地球局１００のＩＰ通信用モデム１０３は、Ｓ１２１でこの着信応答信号を受信してデータ伝送アダプタ２０４に中継し、データ伝送アダプタ２０４は、Ｓ１２２で着信応答信号を受信し、ＶｏＩＰ電話機１０９に着信応答信号を中継する。これによりＶｏＩＰ電話機１０９は、Ｓ１２３で着信応答信号を受信して通信状態に入る。
【００３９】
図６は、これら一連の処理に係る発信信号等を示す図である。ＶｏＩＰ電話機１０９からの発信に係る発信信号（１）（Ｓ１０２）は、情報種別を示す種別情報と、着信に係るＶｏＩＰ電話機２１０を特定するＩＰアドレスである着信ＩＰアドレスとにより構成される。データ伝送アダプタ１０４からの発信に係る発信信号（２）（Ｓ１０５）は、種別情報と衛星ルーチングアドレスとにより構成される。ＶＳＡＴ地球局１００から送出される回線設定要求信号（Ｓ１０６）は、同様に、種別情報と衛星ルーチングアドレスとにより構成される。またＨＵＢ局６００から送出される回線設定信号（Ｓ１０８）は、種別情報と、衛星ルーチングアドレス番号と、データの送受対象に選択された衛星回線の周波数を特定する回線周波数番号とにより構成される。ＩＰ通信用モデム２０３より送出される起動信号（Ｓ１１４）は、種別情報と衛星ルーチングアドレスとより構成される。データ伝送アダプタ２０４から送出される着信信号（Ｓ１１５）及びＶｏＩＰ電話機２１０から送出される着信応答信号（Ｓ１１７）は、情報種別とＶｏＩＰ電話機２１０を特定するＩＰアドレスとにより構成される。
【００４０】
図７は、図２との対比によりＶＳＡＴシステム１に係るＶＳＡＴ地球局１が、他のＶＳＡＴシステム２に係るＶＳＡＴ地球局３００に接続する場合のルーチングを示す図である。この図７の例は、ＶＳＡＴ地球局１００に収容されたＶｏＩＰ電話機１０９がＶＳＡＴ地球局３００に収容されたＶｏＩＰ電話機３１０に発信した場合の例により説明する。なおこのルーチングに必要な無線リソーステーブル、衛星リソーステーブルにあっては、後述する処理により事前に更新される。
【００４１】
この場合、ＶｏＩＰ電話機１０９からの発信信号が、ＶｏＩＰ電話機のゲートウエイ１０６でイーサネット加入者インタフェースのＩＰアドレスに変換されて送出される（ＰＯＲＴＬ１１）。このＩＰアドレスはデータ伝送アダプタ１０４で衛星ルーチングテーブルを参照して衛星ルーチングアドレスに変換される。この例では、ＶＳＡＴ地球局１００に収容されたＶｏＩＰ電話機１０９がＶＳＡＴ地球局３００に収容されたＶｏＩＰ電話機３１０に発信する場合であることにより、ＩＰアドレスは、通信衛星５００のアドレス（ＳＡＴＥ番号）＋ＨＵＢ局７００のアドレス（ＨＵＢＥ番号）＋発信に係るＶＳＡＴ地球局１００のアドレス（ＶＳＡＴＬ１番号）＋着信に係るＶＳＡＴ地球局３００のアドレス（ＶＳＡＴＥ番号）＋発信に係るＶｏＩＰ電話機１０９のアドレス（ＴＥＬ１０９番号）＋着信に係るＶｏＩＰ電話機３１０のアドレス（ＴＥＬ３１０番号）を少なくとも備えた衛星ルーチングアドレスに変換される。この衛星ルーチングアドレスは、ＩＰ通信用モデム１０３、アンテナ１０１、通信衛星４００を介して衛星制御回線８１１、８１２によりＨＵＢ局７００に回線設定要求信号として送信される。
【００４２】
この回線設定要求信号の受信によりＨＵＢ局７００は、この回線設定要求信号に含まれる衛星ルーチングアドレスを受信し、衛星制御回線８１１、８１２を用いてＶＳＡＴ地球局１００に回線９１１の設定信号を送信すると共に、衛星制御回線８１２、８１３を用いてＶＳＡＴ地球局３００にＶＳＡＴ地球局１００への指定に対応する回線９１２の設定信号を送信する。
【００４３】
この設定信号の受信により、ＶＳＡＴ地球局１００及び３００において、回線９１１、９１３による回線接続が行われ、通信衛星５００のアドレス（ＳＡＴＥ番号）＋発信に係るＶＳＡＴ地球局１００のアドレス（ＶＳＡＴＬ１番号）＋着信に係るＶＳＡＴ地球局３００のアドレス（ＶＳＡＴＥ番号）＋発信に係るＶｏＩＰ電話機１０９のアドレス（ＴＥＬ１０９番号）＋着信に係るＶｏＩＰ電話機３１０のアドレス（ＴＥＬ３１０番号）を少なくとも備えた衛星ルーチングアドレスを含む発信情報が回線９１１、９１３を介してＶＳＡＴ地球局１００から送信される。
【００４４】
ＶＳＡＴ地球局３００では、この発信情報がアンテナ３０１、ＩＰ通信用モデム３０３を順次介して、データ伝送アダプタ３０４に入力され、ここでこの発信情報に含まれる衛星ルーチングアドレスがＩＰアドレスに変換されてＶｏＩＰ電話機のゲートウエイ３０６に入力され、ＶｏＩＰ電話機３１０に着信信号が送出される。この着信に応答してＶｏＩＰ電話機３１０が応答すると、ＶｏＩＰ電話機１０９とＶｏＩＰ電話機３１０との通信が、回線９１１、９１２を介して開始される。
【００４５】
図８は、ルーチングテーブル（無線リソーステーブル、衛星リソーステーブル）の更新処理を示すフローチャートである。ＶＳＡＴ地球局１００では、例えば保守用端末を用いたオペレータの入力により、Ｓ２０１で、ＨＵＢ局７００に、ＶＳＡＴシステム２の識別情報（システムＩＤ）、ＨＵＢ局７００のＩＰアドレス、ＶＳＡＴ地球局１００のＩＰアドレス、ＶＳＡＴ地球局３００のＩＰアドレス、参入期間を少なくとも備えた衛星システム参入登録信号を送信する。なおこの衛星システム参入登録信号は、地上の固定回線等を使用して送信される。
【００４６】
ＨＵＢ局７００は、Ｓ２０２において、この衛星システム参入登録信号を受信し、この参入信号に設定された情報を記録する。なおこの記録にあっては、この参入信号に設定された参入期間が経過すると、速やかに削除される。またこの記録は、他のＶＳＡＴ地球局２００からの衛星システム参入登録信号の応答、さらにはこのＨＵＢ局７００のＶＳＡＴシステム２に属するＶＳＡＴ地球局の衛星ルーチングテーブルの更新等に利用される。
【００４７】
続いてＨＵＢ局７００は、Ｓ２０４において、衛星ルーチングテーブル、無線リソーステーブルを更新するのに必要な情報を通知する。より具体的に、ＨＵＢ局７００は、ＶＳＡＴシステムの識別情報、ＶＳＡＴシステム２の衛星制御回線周波数番号、通信衛星５００のビーコン周波数番号、通信衛星５００のアドレス、ＨＵＢ局７００のアドレス、このＶＳＡＴシステム２に属するＶＳＡＴ地球局を特定するアドレス、このＶＳＡＴ地球局にそれぞれ収容されている情報端末のアドレスを少なくとも備えた衛星システム参入許可信号を地上の固定回線等を使用してＶＳＡＴ地球局１００に送信する。なおこれら通信衛星５００のアドレス、ＨＵＢ局７００のアドレス、このＶＳＡＴシステム２に属するＶＳＡＴ地球局を特定するアドレスは、当該ＶＳＡＴシステム２に内での接続のためのアドレスである。なおこのような地上の固定回線による衛星システム参入登録信号、衛星システム参入許可信号の送受に代えて、特定の衛星回線を保守用に割り当てこの保守用の回線を使用して送受してもよい。
【００４８】
保守用端末は、Ｓ２０５で衛星システム参入許可信号を受信し、この衛星システム参入許可信号に設定されたＶＳＡＴシステムの識別情報、ＳＡＴシステム２の衛星制御回線周波数番号、通信衛星５００のビーコン周波数番号、通信衛星５００のアドレス、ＨＵＢ局７００のアドレス、このＶＳＡＴシステム２に属するＶＳＡＴ地球局を特定するアドレス、このＶＳＡＴ地球局にそれぞれ収容されている情報端末のアドレスによる衛星システムＩＤ設定信号を、Ｓ２０６でデータ伝送アダプタ１０４に送出する。データ伝送アダプタ１０４は、この衛星システムＩＤ設定信号によりＳ２０７で、衛星ルーチングテーブル、無線リソーステーブルを更新する。
【００４９】
図９は、この図８の処理に使用する各信号を示す図である。衛星システム参入登録信号は、情報種別、ＶＳＡＴシステムの識別情報（システムＩＤＥ）、ＨＵＢ局７００のＩＰアドレス、ＶＳＡＴ地球局１００のＩＰアドレス、ＶＳＡＴ地球局３００のＩＰアドレス、参入期間により構成される。また衛星システム参入許可信号は、この図９の例では、情報識別、ＶＳＡＴシステムの識別情報（システムＩＤＥ）、ＶＳＡＴシステム２の衛星制御回線周波数番号、通信衛星５００のビーコン周波数番号、通信衛星５００のアドレス（ＳＡＴＥ番号）、ＨＵＢ局７００のアドレスが設けられる。さらにこのＶＳＡＴシステム２に属するＶＳＡＴ地球局のアドレス、当該ＶＳＡＴ地球局に収容された情報端末のアドレスとが、ＶＳＡＴ地球局毎に記録され、参入期間が記録される。衛星システムＩＤ設定信号は、情報識別が設定され、衛星システム参入許可信号と同様に、ＶＳＡＴシステムの識別情報（システムＩＤＥ）、ＶＳＡＴシステム２の衛星制御回線周波数番号、通信衛星５００のビーコン周波数番号、通信衛星５００のアドレス、ＨＵＢ局７００のアドレス、ＶＳＡＴ地球局１００のアドレス、ＶＳＡＴ地球局３００のアドレス、情報端末のアドレが割り当てられる。
【００５０】
図１０は、図３との対比により図７のルーチングに係る接続シーケンスを示す図である。Ｓ２０１においてＶｏＩＰ電話機１０９がＶｏＩＰ電話機３１０に向けて発信し、Ｓ３０２においてＶｏＩＰ電話機３１０の番号を含むＩＰアドレスによる発信信号（１）をデータ伝送アダプタ１０４に送信する。Ｓ３０３においてこの発信信号（１）をデータ伝送アダプタ１０４が受信し、続くＳ３０４において衛星ルーチングテーブルを参照してＩＰアドレスを衛星ルーチングアドレスに変換し、この衛星ルーチングアドレスがＳ３０５で発信信号によりＩＰ通信用モデム１０３に送出される。ＩＰ通信用モデム１０３では、Ｓ３０６において、この発信信号が受信され、この発信信号に含まれる衛星ルーチングアドレスにより無線リソーステーブルを検索して衛星追尾の処理を実行し、ビーコン受信レベルが最大になった方向にアンテナ１０１を定位させる。
【００５１】
このようにしてビーコン受信レベルが最大になると、ＩＰ通信用モデム１０３は、無線リソーステーブルの検索により検出された衛星制御回線周波数により、回線設定要求を通信衛星４００に送出することにより、この回線設定要求信号をＨＵＢ局６００に送出する。ＨＵＢ局６００においては、この回線設定要求信号がＳ３０７で受信され、着信に係るＶＳＡＴ地球局３００が検出される。またこの検出結果に基づいて、ＶＳＡＴ地球局１００及び３００間のデータの送受に供する衛星回線が選択され、Ｓ３０８及びＳ３１１において、ＶＳＡＴ地球局１００及び３００にそれぞれ回線設定信号を送信し、この回線設定信号によりＳ３０７で選択した衛星回線の周波数を通知する。この通知によりＶＳＡＴ地球局１００ではＳ３０９において、この回線設定信号が受信され、受信した回線の周波数により無線通信波を送受するように、アンテナ制御部１０２により設定される。続いてＳ３１０において、ＶＳＡＴ地球局１００は、設定した回線により発信信号（２）を送信する。
【００５２】
ＶＳＡＴ地球局３００では、ＨＵＢ局７００から送信された回線設定信号をＳ３１１で受信し、続くＳ３１２において、受信した回線の周波数により無線通信波を送受するように設定される。続いてＳ３１３において、設定した回線により発信信号（２）を受信し、Ｓ３１４でＩＰ通信用モデム３０３からデータ伝送アダプタ３０４に起動信号を送信する。
【００５３】
Ｓ３１５において、データ伝送アダプタ３０４はこの起動信号を受信し、衛星ルーチングアドレスからＩＰアドレスを生成し、ＶｏＩＰ電話機３１０に着信信号を送信する。ＶｏＩＰ電話機３１０はＳ３１６でこの着信信号を受信した後、Ｓ３１７で着信応答信号をデータ伝送アダプタ３０４に送信する。データ伝送アダプタ３０４はＳ３１８で着信応答信号を受信し、ＩＰ通信用モデム３０３に着信応答信号を送出し、ＩＰ通信用モデム３０３は、Ｓ３１９で着信応答信号を受信し、回線９０３を用いでＶＳＡＴ地球局１００のＩＰ通信用モデム１０３に着信応答信号を送信する。ＶＳＡＴ地球局１００のＩＰ通信用モデム１０３は、Ｓ３３１でこの着信応答信号を受信してデータ伝送アダプタ３０４に中継し、データ伝送アダプタ３０４は、Ｓ３３３で着信応答信号を受信し、ＶｏＩＰ電話機１０９に着信応答信号を中継する。これによりＶｏＩＰ電話機１０９は、Ｓ３２３で着信応答信号を受信して通信状態に入る。
【００５４】
図１１は、ＶＳＡＴシステム１のＶＳＡＴ地球局１００及び２００が、共に他のＶＳＡＴシステム２の通信衛星５００を利用する場合のルーチングを示す図である。この図１１の例では、図７について上述したと同様に、ＶＳＡＴ地球局１００、２００が順次、図８について上述したルーチングテーブルの更新処理を実行して、それぞれ衛星ルーチングテーブル、無線リソーステーブルを更新する。これによりＶＳＡＴシステム１に属していた２つのＶＳＡＴ地球局１００、２００間でも、何ら通信衛星４００に異常が発生していない場合のように種々にデータを送受することができる。
【００５５】
以上の構成によれば、他の衛星通信システムの制御地球局から、無線リソーステーブルを更新するのに必要な情報、衛星ルーチングテーブルを更新するのに必要な情報を取得して無線リソーステーブル、衛星ルーチングテーブルを更新することにより、衛星帯域の輻輳、制御地球局の障害等により回線を割り当てることが困難な場合でも、単に無線リソーステーブルを更新するのに必要な情報、衛星ルーチングテーブルを更新するのに必要な情報を取得してテーブルを更新するだけの簡易な処理により、他の衛星通信システムの構成を有効に利用してデータを送受することができる。これにより大規模災害時等のトラヒック増加時において、衛星帯域内で輻輳が発生している場合であっても、衛星通信システムを有効に活用して所望の通信対象とデータを送受することができる。
【００５６】
〔他の実施形態〕
以上、本発明の実施に好適な具体的な構成を詳述したが、本発明は、本発明の趣旨を逸脱しない範囲で、上述の実施形態を種々に組み合わることができ、上述の実施形態の構成を種々に変更することができる。
【００５７】
すなわち上述の実施形態では、各ＶＳＡＴシステムがそれぞれ通信衛星を備える場合について述べたが、本発明はこれに限らず、複数のＶＳＡＴシステムで通信衛星を共用する場合にも広く適用することができる。
【符号の説明】
【００５８】
１、２  ＶＳＡＴシステム
１００、２００、３００  ＶＳＡＴ地球局
１０１、２０１、３０１、６０１、７０１  アンテナ
１０２、２０２、３０２  アンテナ制御部
１０３、２０３、３０３  ＩＰ通信用モデム
１０４、２０４、３０４  データ伝送アダプタ
１０５、２０５、３０５  回線制御部
１０６、２０６、３０６  ＶｏＩＰゲートウエイ
１０７、１０８、２０７、２０８、３０７、３０８  パーソナルコンピュータ
１０９、１１０、２０９、２１０、３０９、３１０  ＶｏＩＰ電話機
４００、５００  通信衛星
６００、７００  ＨＵＢ局
６０２、７０２  ＲＦ監視制御
６０３、７０３  衛星制御回線ＭＯＤＥＭ
６０４、７０４  ＤＡＭＡ
【図１】
2014175935.tif 000003
【図２】
2014175935.tif 000004
【図３】
2014175935.tif 000005
【図４】
2014175935.tif 000006
【図５】
2014175935.tif 000007
【図６】
2014175935.tif 000008
【図７】
2014175935.tif 000009
【図８】
2014175935.tif 000010
【図９】
2014175935.tif 000011
【図１０】
2014175935.tif 000012
【図１１】
2014175935.tif 000013